(57)【要約】【課題】  動画記録再生装置において、録画モードと再生モードとで、受信したメッセージの出力方法を切り替える。【解決手段】  デジタルカメラ１０１はカメラサーバ１０２を具備し、ネットワーク１０４を介してクライアントシステム１０３に動画を配信でき、クライアントシステム１０３からメッセージを受信できる。カメラ１０１では、予め、クライアントから受信したメッセージの出力方法を、複数の方法、即ち、音声出力、アイコン表示、テロップ表示、メッセージ表示画面、及び、一時保存して再生時に出力から、録画モード及び再生モード毎に設定しておく。録画モードでは、音声出力を選択禁止にする。【選択図】  図１
2006067039.tif 000002
【特許請求の範囲】
【請求項１】
記録媒体に動画像信号を記録再生する記録再生手段と、
前記記録媒体に対して記録されている動画像信号又は前記記録媒体から再生された動画像信号を、ネットワークを介してクライアントシステムに配信する配信手段と、
前記クライアントシステムからメッセージ情報を受信するメッセージ受信手段と、
前記メッセージ受信手段によって受信したメッセージ情報を通知するメッセージ通知手段と、
前記記録再生手段による前記動画像の記録中におけるメッセージ通知方法及び前記動画像信号の再生中におけるメッセージ通知方法を、複数のメッセージ通知方法からそれぞれ独立に設定する通知方法設定手段と、
前記記録再生手段の動作状態に応じて、前記通知方法設定手段により設定されたメッセージ通知方法によりメッセージ情報を通知するように前記メッセージ通知手段を制御する制御手段
とを備えることを特徴とする動画配信システム。
【請求項２】
前記メッセージ受信手段によって受信したメッセージ情報を、前記配信手段からの前記動画像信号を受信する他のクライアントシステムに転送するメッセージ転送手段と、
前記メッセージ転送手段により前記メッセージ情報を転送するクライアントシステムを指定する転送先指定手段
とを備えることを特徴とする請求項１に記載の動画配信システム。
【請求項３】
前記動画像信号の記録中における通知方法として前記複数の通知方法の一部を設定禁止としたことを特徴とする請求項１に記載の動画配信システム。
【請求項４】
前記メッセージ通知方法は、前記メッセージ情報に対応した音声を出力する第１の方法と、所定のアイコンを前記配信中の動画像信号に係る動画像の表示画面に多重して表示する第２の通知方法と、前記メッセージ情報に対応したテロップを前記動画像の表示画面に表示する第３の通知方法と、前記動画像に代えて前記メッセージ情報を表示する第４の通知方法とを含むことを特徴とする請求項１に記載の動画配信システム。
【請求項５】
前記動画像信号の記録中における通知方法として前記第１の通知方法を設定禁止としたことを特徴とする請求項４に記載の動画配信システム。
【請求項６】
前記メッセージ通知手段は前記受信したメッセージ情報を記憶する記憶手段を有し、
前記メッセージ通知方法は更に、前記記録再生手段が前記動画像信号の記録状態から他の状態に切り替わったことに応じて前記記憶手段に記憶されたメッセージ情報を通知する第５の通知方法を含み、
前記動画像信号の再生中における通知方法として前記第５の通知方法を設定禁止としたことを特徴とする請求項５に記載の動画配信システム。
【請求項７】
動画配信システムから動画像信号を受信し、前記動画配信システムにメッセージ情報を送信するクライアントシステムであって、
前記動画配信システムの認証サーバに接続する接続手段と、
前記配信システムから動画像信号の受信のための認証を得る認証取得手段と、
前記配信システムから動画像信号を取得する動画取得手段と、
前記動画取得手段によって取得した動画像信号を再生する手段と、
前記配信システムに前記メッセージ情報を送信する送信手段
とを備えることを特徴とするクライアントシステム。
【請求項８】
前記配信システムに接続している他のクライアントシステムのアドレス情報を取得するアドレス情報取得手段と、
前記アドレス情報取得手段によって取得したアドレス群から、前記メッセージを転送する他のクライアントシステムを指定する転送先指定手段
とを有し、前記配信システムは、前記メッセージ受信手段によって受信したメッセージ情報を、前記転送先指定手段により指定されたクライアントシステムに転送することを特徴とする請求項７に記載のクライアントシステム。
【請求項９】
記録モードで動画像信号を記録媒体に記録する記録モード、及び前記記録媒体に記録される動画像信号を再生する再生モードを具備する動画記録再生装置と、前記動画記録再生装置とネットワークを介して接続する１以上のクライアントシステムとからなり、前記動画記録再生装置から前記１以上のクライアントシステムにネットワークを介して動画像信号を配信する動画配信システムにおいて、
前記動画像記録再生装置において、動画像信号の記録中におけるメッセージ通知方法及び前記動画像信号の再生中におけるメッセージ通知方法を、複数のメッセージ通知方法からそれぞれ独立に設定する通知方法設定ステップと、
前記動画像記録再生装置が、前記１以上のクライアントシステムの何れかからのメッセージ情報を受信するメッセージ受信ステップと、
前記動画像記録再生装置が、前記記録モード及び前記再生モードの何れであるかに従い、前記通知方法設定ステップで設定された通知方法で、前記メッセージ受信ステップにより受信したメッセージ情報を通知するメッセージ通知ステップと、
とを備えることを特徴とする動画配信システムの制御方法。
【請求項１０】
前記複数のメッセージ通知方法が、受信したメッセージを他のクライアントシステムに転送するメッセージ通知方法を含むことを特徴とする請求項９に記載の動画配信システムの制御方法。
【請求項１１】
前記通知方法設定ステップは、動画像信号の記録中における通知方法として前記複数のメッセージ通知方法の一部を設定禁止としたことを特徴とする請求項９に記載の動画配信システムの制御方法。
【発明の詳細な説明】
【技術分野】
【０００１】
本発明は、動画配信システム及びその制御方法並びにクライアントシステムに関し、特に、デジタルカメラ、デジタルカムコーダ、ＰＤＡ及び携帯電話等をターゲットとし、動画を再生する機能、動画を録画する機能、録画した動画をネットワークによって他の端末に配信する機能、及び、他の端末からネットワークを通じてメッセージを受信する機能を有する動画配信システム及びその制御方法並びにクライアントシステムに関する。
【背景技術】
【０００２】
従来、動画を配信中に配信先の端末からメッセージを受信した場合、テロップ又はアイコン等によって、該メッセージを配信者に通知する構成が知られている。また、クライアントシステムから着信した電子メールをテレビ受信機に表示する技術も知られている（例えば、特許文献１参照）。
【特許文献１】特開平０７−２９８１５３号公報
【発明の開示】
【発明が解決しようとする課題】
【０００３】
録画モード時では音声出力機能を使用できないので、従来の技術では、クライアントシステムから受信したメッセージを配信者に音声出力機能を使って通知することができないという問題があった。
【０００４】
また、録画モード時における動画撮影装置のディスプレイ画面には、録画の対象が常に映し出されている必要があり、再生モード時と比較してメッセージを表示する領域及び表示する機能が制限される。すなわち、再生モード時と録画モード時を区別することなく、クライアントシステムから受信したメッセージを同じ表示手段によって配信者に通知することができないという問題があった。
【０００５】
本発明は、上記の問題点を解決する動画配信システム及びその制御方法並びにクライアントシステムを提示することを目的とする。
【課題を解決するための手段】
【０００６】
本発明に係る動画配信システムは、記録媒体に動画像信号を記録再生する記録再生手段と、前記記録媒体に対して記録されている動画像信号又は前記記録媒体から再生された動画像信号を、ネットワークを介してクライアントシステムに配信する配信手段と、前記クライアントシステムからメッセージ情報を受信するメッセージ受信手段と、前記メッセージ受信手段によって受信したメッセージ情報を通知するメッセージ通知手段と、前記記録再生手段による前記動画像の記録中におけるメッセージ通知方法及び前記動画像信号の再生中におけるメッセージ通知方法を、複数のメッセージ通知方法からそれぞれ独立に設定する通知方法設定手段と、前記記録再生手段の動作状態に応じて、前記通知方法設定手段により設定されたメッセージ通知方法によりメッセージ情報を通知するように前記メッセージ通知手段を制御する制御手段とを備えることを特徴とする。
【０００７】
本発明に係るクライアントシステムは、動画配信システムから動画像信号を受信し、前記動画配信システムにメッセージ情報を送信するクライアントシステムであって、前記動画配信システムの認証サーバに接続する接続手段と、前記配信システムから動画像信号の受信のための認証を得る認証取得手段と、前記配信システムから動画像信号を取得する動画取得手段と、前記動画取得手段によって取得した動画像信号を再生する手段と、前記配信システムに前記メッセージ情報を送信する送信手段とを備えることを特徴とする。
【０００８】
本発明に係る動画配信システムの制御方法は、
【発明の効果】
【０００９】
本発明によれば、配信システムの記録再生の状態に応じた最適な方法でクライアントシステムからのメッセージを認識することが可能になる。
【発明を実施するための最良の形態】
【００１０】
以下、図面を参照して、本発明の実施例を詳細に説明する。
【実施例１】
【００１１】
図１は、本発明の実施例１の概略構成ブロック図を示す。デジタルカメラ又はデジタルカムコーダ１０１は、カメラサーバ１０２、動画再生機能、動画録画機能及び音声出入力機能を有する動画配信システムである。カメラサーバ１０２は、ネットワークを介してクライアントシステム１０３に動画を配信し、クライアントシステム１０３からメッセージを受信し、受信したメッセージを格納する。カメラサーバ１０２はまた、その他情報を格納する機能を有する。
【００１２】
クライアントシステム１０３は、パソコン、ＰＤＡ、デジタルカメラ又はテレビなどからなり、デジタルカメラ１０１及びカメラサーバ１０２とネットワークを介して接続可能であり、カメラサーバ１０２から動画を受信し、カメラサーバ１０２にメッセージを送信する。
【００１３】
通信媒体１０４は、ＵＳＢケーブル、イーサーネット（登録商標）又は無線ＬＡＮ等であり、デジタルカメラ１０１とクライアントシステム１０３との間でデータを双方向に伝送する。
【００１４】
図２は、デジタルカメラ１０１の概略機能ブロック図を示す。デジタルカメラ１０１は、ＣＰＵ２０１、ＲＯＭ２０２、ＲＡＭ２０３、外部記憶手段２０４、入力手段２０５、表示手段２０６、映像録画手段２０７、映像再生手段２０８、音声出力手段２０９、音声入力手段２１０及び通信手段２１１で構成される。
【００１５】
ＣＰＵ２０１は、デジタルカメラ１０１の制御及び各種プログラムの起動を行う。ＲＯＭ２０２は、読み出し専用記憶装置であり、ＣＰＵ２０１によって実行されるデジタルカメラ１０１を制御するプログラム及び各種プログラム群が記憶されている。ＲＡＭ２０３は、デジタルカメラ１０１において、ＣＰＵ２０１が各種プログラムを実行するためのワークエリアとして使用される。外部記憶手段２０４は、プログラムファイル及びデータファイルを格納する手段である。入力手段２０５は、各種データ及びコマンドの入力をおこなうための手段である。表示手段２０６は、各種データの表示及び入力手段２０５の操作をおこなうためのカーソルを表示する手段である。映像録画手段２０７は、デジタルカメラ１０１が撮影した動画データをメモリ又はＨＤＤ等の記憶装置に録画する手段である。映像再生手段２０８は、記憶された動画データを再生する手段である。音声出力手段２０９は音声を出力する手段である。音声入力手段２１０は、デジタルカメラ１０１が再生モードである場合、音声を取り込む手段である。通信手段２１１は、外部の端末装置との間でデータを送受信する手段である。
【００１６】
図３〜図５を参照して、本実施例の動作を説明する。ここでは、動画を配信するユーザを配信者と呼ぶことにする。
【００１７】
先ず、モード識別手段によって動画配信システムが再生モード又は録画モードであることを識別し、その識別結果に従い、メッセージ通知手段切替え手段により再生時メッセージ通知手段と前録画画時メッセージ通知手段とを切替える動作を説明する。
【００１８】
図３は、本実施例の再生時メッセージ通知方法を選択する画面である。タブ３０１は、再生モード時の選択タブと録画モード時の選択タブを有し、タブをクリックすることによって、それぞれのモードにおけるメッセージ通知方法を選択する画面に遷移する。チェックボックス３０２は、メッセージ通知方法のリストを有し、チェックボックスを選択することによって、希望のメッセージ通知方法を設定する。
【００１９】
３０３は音声出力によってメッセージを通知する方法であり、この場合、クライアントシステムから受信したメッセージを音声に変換し、内蔵するスピーカによって配信者にメ通知する。
【００２０】
３０４はアイコン表示によってメッセージを通知する方法であり、この場合、クライアントシステムからメッセージを受信すると、配信中の動画像を表示しているＬＣＤなどに対してその旨を示すアイコンを表示することによって、メッセージの受信を配信者に通知する。
【００２１】
また、３０５はテロップ表示によってメッセージを通知する方法であり、この場合、クライアントシステムから受信したメッセージに対応したテロップを動画表示中のＬＣＤ画面に表示することによって、メッセージを配信者に通知する。
【００２２】
また、３０６は、動画像の表示画面をメッセージ表示画面に切替えてメッセージを通知する方法であり、クライアントシステムからメッセージを受信した場合、ＬＣＤに表示されている配信中の動画像に代えて受信したメッセージを表示することで、メッセージを配信者に通知する。
【００２３】
図４は、本実施例の録画時メッセージ通知方法を選択する画面である。録画モードにおいてスピーカから音声を出力すると、その音声がマイクによって拾われて記録又は配信されてしまうので、記録時にはスピーカからの音声出力を停止している。そのため、音声出力によってメッセージを通知する方法の設定を禁止している。
【００２４】
４０２は、メッセージ情報を内蔵のメモリに一時保存して、記録停止後又は再生時にメモリからメッセージ情報を読み出して配信者に通知する方法である。このとき、音声で出力してもよいし、また、ＬＣＤに表示することもできる。また、方法４０２は、記録時にのみ設定できる。これ以外は図３と同様である。
【００２５】
図５は、本実施例のメッセ−ジ通知方法の設定プロセスを示すフローチャートである。配信者は、再生時メッセージ通知方法を選択する（Ｓ５０１）。また、配信者は、録画時メッセージ通知方法を選択する（Ｓ５０２）。デジタルカメラ１０１はクライアントシステムからメッセージを受信する（Ｓ５０３）。デジタルカメラ１０１はモード識別手段によってカメラモードが再生モード又は録画モードかを識別する（Ｓ５０４）。再生モードであった場合（Ｓ５０４で再生モード）、Ｓ５０１で選択した再生時メッセージ通知方法によって、配信者にメッセージを通知する（Ｓ５０５）。録画モードであった場合（Ｓ５０４で録画モード）、Ｓ５０２で選択した録画時メッセージを通知方法によって、配信者にメッセージを通知する（Ｓ５０６）
【００２６】
以上、説明したように、本実施例によれば、再生モードか録画モードかに応じて、クライアントシステムから受信したメッセージを配信者に通知する方法を切替えることによって、配信者は、動画配信システムがどちらのカメラモードであった場合も、クライアントシステムからのメッセージを認識することが可能である。
【実施例２】
【００２７】
図６及び図７を参照して、本発明の実施例を説明する。この実施例では、クライアントシステムから受信したメッセージを、動画配信システムを介して他のクライアントシステムに転送する。
【００２８】
図６は、本実施例の概略構成ブロック図を示す。デジタルカメラ又はデジタルカムコーダ６０１は、カメラサーバ６０２、動画再生機能、動画録画機能及び音声出入力機能を有する動画配信システムである。カメラサーバ６０２は、ネットワークを介してクライアントシステム６０３に動画を配信し、クライアントシステム６０３からメッセージを受信し、受信したメッセージを格納する。カメラサーバ６０２はまた、その他情報を格納する機能を有する。
【００２９】
クライアントシステム６０３は、パソコン、ＰＤＡ、デジタルカメラ又はテレビなどからなり、デジタルカメラ６０１とネットワークを介して接続可能であり、カメラサーバ６０２から動画を受信し、カメラサーバ６０２にメッセージを送信する。
【００３０】
通信媒体６０４は、ＵＳＢケーブル、イーサーネット（登録商標）又は無線ＬＡＮ等からなり、デジタルカメラ６０１とクライアントシステム６０３との間でデータを双方向に伝送する。
【００３１】
図７は、本実施例のメッセージ転送手段のプロセスを示すフローチャートである。デジタルカメラ６０１はクライアントシステム６０３からメッセージを受信した場合、クライアントシステム６０３の認証を確認する（Ｓ７０１）。認証されていた場合（Ｓ７０１）、そのメッセージをそのクライアントシステムから取得する（Ｓ７０２）。認証されていない場合（Ｓ７０２）、そのクライアントシステムとの接続を切断する（Ｓ７０６）。動画配信システムは、受信したメッセージを転送するクライアントシステムを設定し（Ｓ７０３）、設定されたアドレスを有するクライアントシステムにメッセージを送信する（Ｓ７０４）。転送結果をクライアントシステムから受信する（Ｓ７０５）。
【００３２】
以上、説明したように、本実施例によれば、クライアントシステムから受信したメッセージを、動画配信システムに接続されている他のクライアントシステムに転送することが可能である。また、メッセージの転送先をデジタルカメラが設定及び変更できる。
【実施例３】
【００３３】
図８を参照して、本発明の実施例を説明する。デジタルカメラが録画モード時にメッセージを受信した場合、このメッセージを一時的に保存し、再生モードに切り替った時にこのメッセージを配信者に通知する。図８は、録画時メッセージ通知のプロセスを示すフローチャートである。
【００３４】
デジタルカメラはクライアントシステムからメッセージを受信する（Ｓ８０１）。デジタルカメラは録画モード又は再生モードかを識別する（Ｓ８０２）。録画モードであった場合（Ｓ８０２）、メッセージをメモリ又は外部記憶装置に保存する（Ｓ８０３）。デジタルカメラが再生モードに切り替わった時（Ｓ８０４）、保存したメッセージを配信者に通知する（Ｓ８０５）。
【００３５】
以上、説明したように、本実施例によれば、動画配信システムが録画モード時であった場合も、メッセージを一時保存し、再生モードに切り替った時にこのメッセージを再送することによって、配信者は録画モード時に受信したメッセージを認識することが可能である。
【実施例４】
【００３６】
図９を参照して、本発明の実施例を説明する。この実施例では、クライアントシステム側から、メッセージを転送する他のクライアントシステムを指定する。図９は、クライアントシステムの転送先指定手段によって指定されたクライアントシステムにメッセージを転送するプロセスを示すフローチャートである。
【００３７】
クライアントシステムは、デジタルカメラから前記デジタルカメラに接続しているクライアントシステムのアドレス群を取得する（Ｓ９０１）。クライアントシステムは、取得したアドレス群から転送先アドレスを指定する（Ｓ９０２）。転送先アドレス、自分のアドレス及びメッセージをメッセージデータに格納して（Ｓ９０３）、デジタルカメラに送信する（Ｓ９０４）。動画配信システムは、このメッセージに格納されているアドレスに対してメッセージを転送する（Ｓ９０５）。
【００３８】
図１０は、クライアントシステムと配信者及び別のクライアントシステムとの間で送受信するメッセージのフォーマットである。送信先アドレス１００１には、メッセージの送信先のアドレスが格納される。自アドレス１００２には、送信者のアドレスが格納される。メッセージ１００３には、送信するメッセージが格納される。
【００３９】
以上説明したように、本実施例によれば、クライアントシステム側から、メッセージを転送する他のクライアントシステムを指定することが可能である。
【図面の簡単な説明】
【００４０】
【図１】本発明の一実施例の概略構成図である。
【図２】本実施例の機能構成図である。
【図３】第１実施例の再生時メッセージ通知手段を選択する画面である。
【図４】第１実施例の録画時メッセージ通知手段を選択する画面である。
【図５】第１実施例のメッセ−ジ通知手段切替え手段のプロセスを示すフローチャートである。
【図６】第２実施例の概略構成図である。
【図７】第２実施例のメッセージ転送手段のプロセスを示すフローチャートである。
【図８】第３実施例における録画時メッセージ通知手段のプロセスを示すフローチャートである。
【図９】第４実施例における他のクライアントシステムにメッセージを転送するプロセスを示すフローチャートである。
【図１０】第４実施例でのメッセージのフォーマット例である。
【符号の説明】
【００４１】
１０１：デジタルカメラ
１０２：カメラサーバ
１０３：クライアントシステム
１０４：通信媒体
２０１：ＣＰＵ
２０２：ＲＯＭ
２０３：ＲＡＭ
２０４：外部記憶手段
２０５：入力手段
２０６：表示手段
２０７：映像録画手段
２０８：映像再生手段
２０９：音声出力手段
２１０：音声入力手段
２１１：通信手段
６０１：デジタルカメラ
６０２：カメラサーバ
６０３：クライアントシステム
６０４：通信媒体
【図１】
2006067039.tif 000003
【図２】
2006067039.tif 000004
【図３】
2006067039.tif 000005
【図４】
2006067039.tif 000006
【図５】
2006067039.tif 000007
【図６】
2006067039.tif 000008
【図７】
2006067039.tif 000009
【図８】
2006067039.tif 000010
【図９】
2006067039.tif 000011
【図１０】
2006067039.tif 000012